【事件の表示】
　平成　６年特許願第５１６４２７号「モニタの電源節約装置及び方法」拒絶査定に対する審判事件［平成　６年１０月１３日国際公開、ＷＯ９４／２３４１３、平成　７年　６月　１日国内公表、特表平　７−５０５００４］について、次のとおり審決する。
【結　論】
　本件審判の請求は、成り立たない。
【理　由】
１．手続の経緯、本願発明
　本願は、平成５年（１９９３年）１１月２９日（パリ条約による優先権主張１９９３年３月３１日、韓国）を国際出願日とする出願であって、その請求項１に係る発明は、平成９年４月１６日付け手続補正書、平成１０年１０月２１日付け手続補正書及び平成１３年１１月１９日付け手続補正書によって補正された明細書の特許請求の範囲の請求項１に記載された次のとおりのもの（以下、「本願発明」という）である。
「コンピュータの情報を表示するモニタの電源節約装置であって、コンピュータの第１入力手段であるキーボードからの第１入力信号を感知する第１入力信号感知手段と、コンピュータの第２入力手段であるマウスからの第２入力信号を感知する第２入力信号感知手段と、これら手段に従い動作する光結合素子を備えて前記第１及び第２入力信号に応じる外部入力信号を発生する電源供給信号発生手段と、からなる接続制御部を備え、この接続制御部を間に介して前記キーボード及びマウスとコンピュータとが接続され、そして、モニタに備えられた電源制御手段が、前記電源供給信号発生手段による外部入力信号が予め設定された時間中に受信されない場合にモニタの動作電圧を遮断するようになっていることを特徴とするモニタの電源節約装置。」
　
２．引用文献の記載事項
　これに対して、当審の平成１３年５月９日付け拒絶理由通知書において引用された本願の出願日前に頒布された刊行物である特開平３−１６８８２０号公報（以下、「引用文献１」という）には、次の技術事項が記載されている。
（ａ１）「〔産業上の利用分野〕
　本発明は、入力装置と表示装置とを持つ装置に用いる表示装置の電源開閉装置に関する。」（第１頁左下欄第１４−１６行目）
（ａ２）「第１図は、本発明の一実施例を示すブロック図である。入力装置からの信号入力１、入力２はそのまま装置に送られると共に、監視装置１のフィルター回路１ａに送られる。」（第２頁左上欄第４−７行目）
（ａ３）「フィルター回路１ａから出た信号は、ノア回路１ｂで時間設定装置からのタイマー無効信号とノアされタイマー回路１ｃに送られる。
タイマー回路１ｃは、リセット入力がハイの間、計時し時間設定装置２で選択された時間計時するとＱをオンの状態に保持し、リセットがオンの時Ｑをオフに保持する。」（第２頁左上欄第１２−１８行目）
（ａ４）「遮断装置３は監視装置１からの信号がオンの間リレーの接点を開放し、装置の電源供給線から表示装置の電源入力線への電源の供給を遮断する。」（第２頁右上欄第５−７行目）
（ａ５）「タイマー回路１ｃの出力Ｑは、時刻設定装置２で設定された時間内に入力信号Ｓがローにならなければオンになり、その状態を保持する。
この時表示装置電源入力Ｖ２は、遮断装置３により装置の電源供給Ｖ１から遮断される。」（第２頁右上欄第１４−１８行目）
（ａ６）「第３図は、本発明をパーソナルコンピュータ（以下パソコンとする）に応用した場合の一実施例を示すブロック図である。図中符号７は、本発明の電源開閉装置である。
図中符号８は、入力装置９であるキーボードとマウス、表示装置１０であるＣＲＴディスプレイを持つ装置であるパソコン本体である。」（第２頁左下欄第５−１１行目）
（ａ７）第１図（本発明の一実施例を示すブロック図）、第３図（本発明をパソコンに応用した一実施例を示すブロック図）
　以上の記載から、引用文献１には、次の発明が記載されている。
「コンピュータ８の情報を表示するＣＲＴディスプレイ１０の電源開閉装置７であって、コンピュータ８の第１入力手段であるキーボード９からの第１入力信号とコンピュータ８の第２入力手段であるマウス９からの第２入力信号を感知するフィルタ回路１ａと、前記第１及び第２入力信号に応じる入力信号Ｓを発生するノア回路１ｂと、からなる監視装置１（タイマー回路１ｃを除く）を備え、この監視装置１を間に介して前記キーボード及びマウス９とコンピュータ８とが接続され、そして、タイマー回路１ｃ及び遮断装置３が、前記ノア回路１ｂによる入力信号Ｓが予め設定された時間中に受信されない場合にＣＲＴディスプレイ１０の供給される電源を遮断するようになっているＣＲＴディスプレイ１０の電源開閉装置。」
　
（ｂ１）「ディスプレイが幾つかの追加のロジック回路を持ち、該ロジック回路は、ディスプレイがまだＰＣに接続されているのにＰＣからの１つ又は両方の同期信号が停止するとそれを感知する」（第２８１頁第１７−２０行目）
（ｂ２）「“同期信号が無くかつテストラインがロー”という状態を検知すると、ロジック回路はディスプレイ内のほとんどの回路の電源を切断し、ディスプレイの消費電力を低減する。」（第２８２頁第３−５行目）
（ｂ３）「ロジック回路は、同期信号が無くかつテストラインがローという所与の状態を検知し、また、遅延回路を持つ。遅延後、入力の前記所与の状態によって、ディスプレイの電源を遮断する信号が電源遮断回路に与えられる。」（第２８３頁第３−６行目）
　以上の記載から、引用文献２には、次の発明が開示されている。
「所定の条件によりディスプレイ内の回路の電源を切断させる信号を発生するロジック回路と、ロジック回路からの信号によりディスプレイの電源を落とす電源遮断回路を備えたディスプレイ装置」
　
３．対比
　本願発明と、引用文献１に記載された発明とを対比する。
　引用文献１に記載された発明における「ＣＲＴディスプレイ１０」、「電源開閉装置７」、「フィルタ回路１ａ」、「入力信号Ｓ」、「ノア回路１ｂ」、「監視装置１（タイマー回路１ｃを除く）」、「タイマー回路１ｃ及び遮断装置３」、「供給される電源」は、それぞれ、本願発明の「モニタ」、「電源節約装置」、「第１入力信号感知手段」及び「第２入力信号感知手段」、「外部入力信号」、「電源供給信号発生手段」、「接続制御部」、「電源制御手段」、「動作電圧」に相当する。
　したがって、本願発明と引用文献１に記載された発明とは次の一致点及び相違点を有する。
（一致点）
　「コンピュータの情報を表示するモニタの電源節約装置であって、コンピュータの第１入力手段であるキーボードからの第１入力信号を感知する第１入力信号感知手段と、コンピュータの第２入力手段であるマウスからの第２入力信号を感知する第２入力信号感知手段と、前記第１及び第２入力信号に応じる外部入力信号を発生する電源供給信号発生手段と、からなる接続制御部を備え、この接続制御部を間に介して前記キーボード及びマウスとコンピュータとが接続され、そして、電源制御手段が、前記電源供給信号発生手段による外部入力信号が予め設定された時間中に受信されない場合にモニタの動作電圧を遮断するようになっていることを特徴とするモニタの電源節約装置。」
　
（相違点１）
　本願発明においては、「電源制御手段」が「モニタに備えられ」ているのに対し、引用文献１に記載された発明では、「タイマー回路１ｃ及び遮断装置３」（本願発明の「電源制御手段」に相当）は「ＣＲＴディスプレイ１０」（本願発明の「モニタ」に相当）に備えられていない点。
（相違点２）
　本願発明においては、「電源供給信号発生手段」が「光結合素子」を備えるのに対し、引用文献１に記載された発明では、「ノア回路１ｂ」（本願発明の「電源供給信号発生手段」に相当）は「光結合素子」を備えていない点。
　
４．当審の判断
　そこで、相違点について検討する。
（相違点１）について
　モニタの電源を制御する手段をどこに備えるかはモニタを含むシステム全体を考慮して任意に設計されるべき事項であり、また、引用文献２には、モニタの電源を制御するロジック回路（LOGIC）や電源遮断回路（POWER ISOLATION CIRCUIT）をモニタ内に備えることが記載されているから、引用文献１に記載された発明において、電源を制御するためのタイマー回路１ｃ及び遮断装置３（本願発明の「電源制御手段」に相当）をＣＲＴディスプレイ１０（本願発明の「モニタ」に相当）に備えることは当業者が容易に想到できたものである。
（相違点２）について
　後段の回路との絶縁を保つために前段の回路の出力回路に光結合素子を備えることは周知技術である（例えば、実願昭５９−１９５１３３号（実開昭６１−１０９２２８号）のマイクロフィルム、第４図を参照）から、引用文献１に記載された発明において、タイマー回路１ｃとの絶縁を保つためにノア回路１ｂ（本願発明の「電源供給信号発生手段」に相当）の出力回路に光結合素子を備えることは、当業者が必要に応じ適宜なし得た事項である。
　
５．むすび
　したがって、請求項１に係る発明は、引用文献１、引用文献２に記載された発明、及び上記周知技術に基づいて、当業者が容易に発明をすることができたものであるから、特許法第２９条第２項の規定により特許を受けることができない。
　よって、結論のとおり審決する。